(57)【要約】  【課題】  藻等の繁殖空間が充分にあり、周囲の水をアルカリ性にせず、藻等を育成するための養分を含み、さらに、水の浄化作用を有する人工礁を提供すること。  【解決手段】  硝酸塩、炭、金属、細菌等を混合し、球形に形成された複数の球形体を平面状に連結することにより形成されていることを特徴とする人工礁１００を提供する。  【選択図】図１
2005046105.tif 000002
【特許請求の範囲】
【請求項１】
砂と固化剤とを混合し球形に形成された複数の球形体を連結することにより形成された人工礁。
【請求項２】
前記球形体は、同一形状に形成されていることを特徴とする請求項１に記載の人工礁。
【請求項３】
複数の前記球形体を平面状に連結することにより形成されていることを特徴とする請求項１又は２に記載の人工礁。
【請求項４】
複数の前記球形体を立体状に連結することにより形成されていることを特徴とする請求項１又は２に記載の人工礁。
【請求項５】
砂と固化剤とを混合し球形に形成された複数の球形体を通水性を有する容器に収納することにより形成された人工礁。
【請求項６】
前記球形体は、同一形状に形成されていることを特徴とする請求項５に記載の人工礁。
【請求項７】
前記容器に複数の前記球形体を平面状に収納することにより形成されていることを特徴とする請求項５又は６に記載の人工礁。
【請求項８】
前記容器に複数の前記球形体を立体状に収納することにより形成されていることを特徴とする請求項５又は６に記載の人工礁。
【請求項９】
前記固化剤は、凝集剤と、酸化マグネシウムと、酸化アルミニウムと、酸化カルシウムと、を含有するものであることを特徴とする請求項１乃至８の何れか一項に記載の人工礁。
【請求項１０】
前記凝集剤は、ポリアクリルアミドであることを特徴とする請求項９に記載の人工礁。
【請求項１１】
前記球形体には、硝酸塩が混合されていることを特徴とする請求項１乃至１０の何れか一項に記載の人工礁。
【請求項１２】
前記球形体には、微生物が混合されていることを特徴とする請求項１乃至１１の何れか一項に記載の人工礁。
【請求項１３】
前記球形体には、炭が混合されていることを特徴とする請求項１乃至１２の何れか一項に記載の人工礁。
【請求項１４】
前記球形体には、金属が混合されていることを特徴とする請求項１乃至１３の何れか一項に記載の人工礁。
【発明の詳細な説明】
【技術分野】
【０００１】
本発明は、人工礁に関する。
【背景技術】
【０００２】
従来の人工礁としては、特許文献１に記載された藻場形成及び餌料生物育成プレートがあった。
【０００３】
図７に表されているように、藻場形成及び餌料生物育成プレート６００は、石材６０１を、セメント等のバインダと水とを混合した皮膜６０２により覆い、プレート上に形成することにより構成されていた。
【特許文献１】特開２００２−２６６３３３号公報
【発明の開示】
【発明が解決しようとする課題】
【０００４】
しかしながら、従来の藻場形成及び餌料生物育成プレート６００では、成型物である石材６０１を皮膜６０２により覆ってしまうため、石材６０１間に藻などが繁殖するための空間を充分にとることができなかった。
【０００５】
また、バインダとしてセメントを使用しているため、水中に投入した際に、遊離石灰の溶出が多く、周囲の水をアルカリ性にし、藻類が繁殖しづらくなっていた。
【０００６】
さらに、藻場形成及び餌料生物育成プレート６００は、石材６０１を被膜６０２で覆っているだけであるため、藻等を育成する養分は含まれておらず、また、この藻場形成及び餌料生物育成プレート６００の周囲の水を浄化することはできなかった。
【０００７】
そこで、本発明は、藻等の繁殖空間が充分にあり、周囲の水をアルカリ性にせず、藻等を育成するための養分を含み、さらに、水の浄化作用を有する人工礁を提供することを目的とする。
【課題を解決するための手段】
【０００８】
以上の課題を解決するため、本発明は、砂と固化剤とを混合し球形に形成された複数の球形体を連結することにより形成された人工礁を提供する。
【０００９】
このように、砂と固化剤とを混合し球形に形成された球形体を複数連結することにより、球形体同士は点で接触するため、藻等の繁殖空間を充分にとることができる。
【００１０】
ここで、球形体の大きさについては、藻等の繁殖空間を充分にとることができる範囲で適時選択することができるが、例えば、球形体を同一形状に形成することが望ましい。
【００１１】
このよう球形体については、平面状に連結することにより人工礁とすることも可能であり、また、立体状に連結することにより人工礁とすることもできる。
【００１２】
また、以上のように、球形体を連結する代わりに、砂と固化剤とを混合し球形に形成された複数の球形体を通水性を有する容器に収納することによって人工礁を形成することも可能である。
【００１３】
この場合にも、球形体は、同一形状に形成することができる。
【００１４】
このような球形体を容器内に平面状に収納することにより人工礁とすることができ、また、このような球形体を容器内に立体状に収納することにより人工礁とすることもできる。
【００１５】
ここで、本発明で使用する固化剤としては、凝集剤と、酸化マグネシウムと、酸化アルミニウムと、酸化カルシウムと、を含有したものを使用することにより、従来のセメントを使用する場合と比べて、固化速度が速く、かつ、アルカリ性が低くなる。
【００１６】
また、凝集剤としては、ポリアクリルアミドを使用することができる。
【００１７】
本発明で使用する球形体には、硝酸塩を混合しておくことで、繁殖する藻等に対して養分を与えることができる。
【００１８】
また、本発明で使用する球形体には、微生物を混合しておくことで、繁殖する藻等に対して養分を与え、また、本発明に係る人工礁の周囲の水を浄化することができる。
【００１９】
また、本発明で使用する球形体には、炭を混合されておくことにより、本発明に係る人工礁の周囲の水を浄化することができる。
【００２０】
また、本発明で使用する球形体には、鉄や酸化チタン等の金属をを混合しておくことにより、繁殖する藻等に対して養分を与えることができる。
【発明の効果】
【００２１】
以上のように、本発明によれば、球形体同士は点で接触するため藻等の繁殖空間が充分にあり、また、周囲の水をアルカリ性にせず、硝酸塩や金属等を混合してあるため藻等を育成するための養分を含み、さらに、炭等を混合し水の浄化作用を有する人工礁を提供することができる。
【発明を実施するための最良の形態】
【００２２】
図１は、本発明の第一の実施形態に係る人工礁１００の上方斜視図である。
【００２３】
本実施形態に係る人工礁１００は、球形に形成された球形体１０１を連結手段である紐１０２で連結することにより構成されている。
【００２４】
球形体１０１は、砂と固化剤を適当な割合で混合し、これに、硝酸塩、炭、鉄粉及び酸化チタンを混入し攪拌してから、乳酸菌、光合成細菌、酵母菌を入れて適度に練り合わせた後、成形し、固化させることにより形成されている。
【００２５】
本発明では、固化剤として、凝集剤であるアニオン系ポリアクリルアミドと、酸化マグネシウム（ＭｇＯ）と、酸化アルミニウム（Ａｌ2Ｏ3）と、酸化カルシウム（ＣａＯ）と、を適時割合で含有したものを使用している。
【００２６】
なお、本実施形態では、固形剤中、アニオン型ポリアクリルアミドを１．９重量％、酸化マグネシウム（ＭｇＯ）を４３．５重量％、酸化アルミニウム（Ａｌ2Ｏ3）を５．７重量％、酸化カルシウム（ＣａＯ）を５．９重量％、配合しているが、このような配合割合には限定されない。
【００２７】
このような固化剤は、アニオン系ポリアクリルアミドの作用により、砂の粒子に粘性を与えて団粒化を促進し、酸化マグネシウム（ＭｇＯ）、酸化アルミニウム（Ａｌ2Ｏ3）及び酸化カルシウム（ＣａＯ）の水和作用により、固形化を進行させる。
【００２８】
ここで、砂は海岸にある砂を用い、水は海水を用いることで、これらに含まれる塩化ナトリウムが硬化促進剤として作用するため好ましい。
【００２９】
このような固化剤を使用することにより、従来のセメントを使用する場合と比べて、固化速度が速くなるばかりか、海や川に沈めた際に、周囲の水をアルカリ性にすることなく、藻類の繁殖に好適な環境を提供することができる。
【００３０】
なお、硝酸塩、炭、鉄粉及び酸化チタンの混合割合としては、硝酸塩９重量％、炭１０重量％、酸化チタンと鉄粉を合わせて１０重量％であるがこれに限られるわけではなく、繁殖させる藻類に適度な栄養を与え、周囲の水を浄化することができる範囲で適時混合割合を変更することができる。
【００３１】
また、乳酸菌、光合成細菌及び酵母菌については、周囲の水を浄化する目的を達成することができる範囲で、混合すればよい。
【００３２】
さらに、球形体１０１の直径についても、藻類を繁殖させることができる範囲で適時選択することができる。
【００３３】
このように形成させる球形体１０１は、紐１０２を用いて平面上に連結されている。
【００３４】
図２に表されているように、球形体１０１には、同一方向に延び、かつ、相互に平行となるように形成された二つの第一の貫通孔１０３と、この第一の貫通孔１０３に対して垂直方向に延び、かつ、相互に平行となるように形成された二つの第二の貫通孔１０４とが形成されており、これらの第一の貫通孔１０３同士及び第二の貫通孔１０４同士が直線状に配置されるように複数の球形体１０１を並べて、紐１０２を通すことにより、球形体１０１同士は連結されている。
【００３５】
なお、連結する球形体１０１の数については、球形体１０１の大きさや、この人工礁１００を沈める箇所の大きさ等を考慮して適時選択することができる。
【００３６】
ここで、本実施形態においては、紐１０２を用いて球形体１０１を連結したが、第一の貫通孔１０３及び第二の貫通孔１０４に金属や樹脂でできたピン等を挿入することにより連結することも可能であり、また、後述する第二の実施形態で述べる連結アーム２０５（図４参照）を用いることもできる。
【００３７】
図３は、本発明の第二の実施形態に係る人工礁２００の上方斜視図である。
【００３８】
本実施形態に係る人工礁２００は、球形に形成された球形体２０１を連結手段である連結アーム２０５（図４参照）で連結することにより構成されている。
【００３９】
本実施形態における球形体２０１も、第一の実施形態における球形体１０１と同様に、砂と固化剤を適当な割合で混合し、これに、硝酸塩、炭、鉄粉及び酸化チタンを混入し攪拌してから、乳酸菌、光合成細菌、酵母菌を入れた水を適度に加えて練り合わせた後、成形し、固化させることにより形成されており、これらの混合割合については第一の実施形態と同様である。
【００４０】
このようにして形成される球形体２０１は、連結アーム２０５（図４参照）を用いることにより、立体状に連結されている。
【００４１】
図４に表されているように、連結アーム２０５は、先端を折り返すことによりフックを形成しており、このような連結アーム２０５を六個、球形体２０１の中心においてそれぞれ垂直に交わる方向からこの球形体２０１の表面に取り付けている
したがって、このような連結アーム２０５同士を連結することにより、図３に表されているように、球形体２０１は、立体格子状に連結される。
【００４２】
なお、本実施形態では、連結アーム２０５を用いて球形体２０１を連結したが、これに限られるわけではなく、第一の実施形態のように紐１０２により連結することも可能であり、また、紐１０２の代わりに樹脂や金属のピンを用いて連結することも可能である。
【００４３】
ここで、紐１０２やピンを用いる場合には、図２で表されている第一の貫通孔１０３と第二の貫通孔１０４の両者に対して垂直方向に第三の貫通孔を設けておくことにより、立体状に球形体２０１を連結することができるようになる。
【００４４】
図５は、本発明の第三の実施形態に係る人工礁３００の上方斜視図である。
【００４５】
本実施形態に係る人工礁３００は、容器３０６の中に球形体３０１を収納することにより形成されている。
【００４６】
ここで、本実施形態における球形体３０１においては、第一の実施形態とは異なり、硝酸塩を加える代わりに、北海道電力株式会社が生産している「えこさんど」を加えている。
【００４７】
「えこさんど」は、硝酸塩を多量に含み、多孔質で、吸水性に優れた使用済脱硫剤である。
【００４８】
このような「えこさんど」を加えることにより、硝酸塩により藻類に栄養を与えることができるほか、多数の孔により脱臭や濁水浄化機能を有しているため、周囲の水を浄化することもできるようになる。
【００４９】
なお、その他の物質については第一の実施形態と同様の物質が混合されており、その混合割合としては、「えこさんど」９重量％、炭１０重量％、酸化チタンと鉄粉を合わせて１０重量％としている。
【００５０】
容器３０６は、ワイヤを亀甲状に編み込むことにより形成された網により形成することで、通水性を確保している。
【００５１】
また、容器３０６の厚さＸは、球形体３０１の直径より大きくなり、この球形体３０１を一つ入れるのに適度な厚さＸとなるようにされており、その幅Ｙは、球形体３０１の直径の４倍よりも大きくなり、この球形体３０１をその中心が直線状になるように並べて入れるのに適度な幅Ｙとなるようにされており、その奥行きＺについても、球形体３０１の直径の４倍よりも大きくなり、この球形体３０１をその中心が直線状になるように並べて入れるのに適度な奥行きＺとなるようにしている。
【００５２】
なお、容器３０６の厚さＸ、幅Ｙ、奥行きＺは、１６個の球形体３０１を、幅Ｙ方向に４つ、奥行きＺ方向に４つ、平面状に収納することができるようにするためであって、これとは異なるように収納する場合には、適時、容器３０６の厚さＸ、幅Ｙ、奥行きＺを変更すればよい。
【００５３】
また、本実施形態においては、容器３０６内に球形体３０１を平面状に収納したが、例えば、図６に表すように、容器４０６内に球形体３０１を立体状に収納することもできる。
【００５４】
ここで、本実施形態においては、網により容器３０６を形成することで、通水性を確保したが、これに限られるわけではなく、球形体３０１を収納し、かつ、通水性を確保することができるものであれば、例えば、樹脂製の容器に多数の貫通孔を穿つようなもの等どのようなものであってもよい。
【００５５】
以上に記載した実施形態においては、固化剤として、凝集剤であるアニオン系ポリアクリルアミドと、酸化マグネシウム（ＭｇＯ）と、酸化アルミニウム（Ａｌ2Ｏ3）と、酸化カルシウム（ＣａＯ）と、を含有したものを用いているが、このような固化剤に限られるわけではなく、従来から使用されているセメント等を使用することも可能である。
【００５６】
なお、凝集剤としては、ノニオン系ポリアクリルアミドを使用することもできる。
【００５７】
以上に記載した実施形態において、球形体１０１、２０１、３０１は、それぞれ同じ大きさのものを用いて人工礁１００、２００、３００を形成したが、異なる大きさの球形体１０１、２０１、３０１を用いて人工礁１００、２００、３００を形成することも可能である。
【図面の簡単な説明】
【００５８】
【図１】第一の実施形態に係る人工礁１００の上方斜視図。
【図２】球形体１０１の上方斜視図。
【図３】第二の実施形態に係る人工礁２００の上方斜視図。
【図４】球形体２０１の上方斜視図。
【図５】第三の実施形態に係る人工礁３００の上方斜視図。
【図６】人工礁３００の変形例を表す上方斜視図。
【図７】従来例を表す縦断面図。
【符号の説明】
【００５９】
１００、２００、３００  人工礁
１０１、２０１、３０１  球形体
３０６、４０６  容器
【図１】
2005046105.tif 000003
【図２】
2005046105.tif 000004
【図３】
2005046105.tif 000005
【図４】
2005046105.tif 000006
【図５】
2005046105.tif 000007
【図６】
2005046105.tif 000008
【図７】
2005046105.tif 000009